(57)【要約】【課題】記憶容量の不足が解消され、しかも簡単な操作で、短時間に多数の撮影駒の画像を再生して視ることができる。【解決手段】カメラ機能付き携帯電話で撮影された画像データを受信する受信手段と、受信手段により受信した画像データに加工処理を施す加工手段と、加工手段により加工された加工済み画像データを前記カメラ機能付き携帯電話からアクセス可能なように送信する送信手段とを、有するカメラ機能付き携帯電話で撮影された画像データの加工システムであり、加工手段は、画像データがスライド表示されるように画像データを加工する。また、加工手段は、画像データが音楽の演奏に伴って表示されるように画像データを加工する。【選択図】図２
2005192108.tif 000002
【特許請求の範囲】
【請求項１】
カメラ機能付き携帯電話で撮影された画像データを受信する受信手段と、
前記受信手段により受信した画像データに加工処理を施す加工手段と、
前記加工手段により加工された加工済み画像データを前記カメラ機能付き携帯電話からアクセス可能なように送信する送信手段とを、
有するカメラ機能付き携帯電話で撮影された画像データの加工システムであり、
前記加工手段は、前記画像データがスライド表示されるように画像データを加工することを特徴とするカメラ機能付き携帯電話で撮影された画像データの加工システム。
【請求項２】
カメラ機能付き携帯電話で撮影された画像データを受信する受信手段と、
前記受信手段により受信した画像データに加工処理を施す加工手段と、
前記加工手段により加工された加工済み画像データを前記カメラ機能付き携帯電話からアクセス可能なように送信する送信手段とを、
有するカメラ機能付き携帯電話で撮影された画像データの加工システムであり、
前記加工手段は、前記画像データが音楽の演奏に伴って表示されるように画像データを加工することを特徴とするカメラ機能付き携帯電話で撮影された画像データの加工システム。
【請求項３】
前記加工手段は、前記画像データが音楽の演奏に伴ってスライド表示されるように画像データを加工することを特徴とする請求項２に記載のカメラ機能付き携帯電話で撮影された画像データの加工システム。
【発明の詳細な説明】
【技術分野】
【０００１】
この発明は、カメラ機能付き携帯電話で撮影された画像データの加工システムに関する。
【背景技術】
【０００２】
近年、カメラ機能付き携帯電話が普及しており、ユーザは街中や旅行先等でカメラ機能付き携帯電話により手軽に風景や人物の撮影を行なっている（例えば、特許文献１）。このように撮影された画像データは、カメラ機能付き携帯電話にセットされるメモリカードに記憶されている。
【特許文献１】特開２００１−３２０４５４号公報
【発明の開示】
【発明が解決しようとする課題】
【０００３】
このようなカメラ機能付き携帯電話では、街中や旅行先等で撮影されるが、さらに日常生活の様子も手軽に撮影しており、メモリカードの記憶容量が不足する。また、再生ボタンを押してメモリカードに記憶された画像データを再生し、表示部に表示しているが、撮影駒毎に再生ボタンを押しており、画像を表示する操作が面倒である。
【０００４】
この発明は、かかる点に鑑みてなされたもので、記憶容量の不足が解消され、しかも簡単な操作で、短時間に多数の撮影駒の画像を再生して視ることができるカメラ機能付き携帯電話で撮影された画像データの加工システムを提供することを目的としている。
【課題を解決するための手段】
【０００５】
前記課題を解決し、かつ目的を達成するために、この発明は、以下のように構成した。
【０００６】
請求項１に記載の発明は、カメラ機能付き携帯電話で撮影された画像データを受信する受信手段と、
前記受信手段により受信した画像データに加工処理を施す加工手段と、
前記加工手段により加工された加工済み画像データを前記カメラ機能付き携帯電話からアクセス可能なように送信する送信手段とを、
有するカメラ機能付き携帯電話で撮影された画像データの加工システムであり、
前記加工手段は、前記画像データがスライド表示されるように画像データを加工することを特徴とするカメラ機能付き携帯電話で撮影された画像データの加工システムである。
【０００７】
請求項２に記載の発明は、カメラ機能付き携帯電話で撮影された画像データを受信する受信手段と、
前記受信手段により受信した画像データに加工処理を施す加工手段と、
前記加工手段により加工された加工済み画像データを前記カメラ機能付き携帯電話からアクセス可能なように送信する送信手段とを、
有するカメラ機能付き携帯電話で撮影された画像データの加工システムであり、
前記加工手段は、前記画像データが音楽の演奏に伴って表示されるように画像データを加工することを特徴とするカメラ機能付き携帯電話で撮影された画像データの加工システムである。
【０００８】
請求項３に記載の発明は、前記加工手段は、前記画像データが音楽の演奏に伴ってスライド表示されるように画像データを加工することを特徴とする請求項２に記載のカメラ機能付き携帯電話で撮影された画像データの加工システムである。
【発明の効果】
【０００９】
前記構成により、この発明は、以下のような効果を有する。
【００１０】
請求項１に記載の発明では、カメラ機能付き携帯電話で撮影された画像データを受信し、この受信した画像データに加工処理を施し、この加工された加工済み画像データをカメラ機能付き携帯電話からアクセス可能なように送信し、カメラ機能付き携帯電話で画像データがスライド表示され、簡単な操作で、短時間に多数の撮影駒の画像を再生して視ることができる。
【００１１】
請求項２に記載の発明では、カメラ機能付き携帯電話で撮影された画像データを受信し、この受信した画像データに加工処理を施し、この加工された加工済み画像データをカメラ機能付き携帯電話からアクセス可能なように送信し、カメラ機能付き携帯電話で画像が音楽の演奏に伴って表示され、多数の撮影駒の画像を音楽の演奏に伴って視ることができる。
【００１２】
請求項３に記載の発明は、画像データが音楽の演奏に伴ってスライド表示され、簡単な操作で、短時間に多数の撮影駒の画像を音楽の演奏に伴って視ることができる。
【発明を実施するための最良の形態】
【００１３】
以下、この発明のカメラ機能付き携帯電話で撮影された画像データの加工システムの実施の形態について説明するが、この発明は、この実施の形態に限定されない。また、この発明の実施の形態は、発明の最も好ましい形態を示すものであり、この発明の用語はこれに限定されない。
【００１４】
図１はこの発明のカメラ機能付き携帯電話で撮影された画像データの加工システムの概略構成図である。この実施の形態のカメラ機能付き携帯電話で撮影された画像データの加工システムは、カメラ機能付き携帯電話１、ネットワーク２及び画像データ加工サーバ３から構成される。カメラ機能付き携帯電話１は、図２及び図３に示すように構成され、またネットワーク２には、画像データ加工サーバ３が接続され、この画像データ加工サーバ３は、図３に示すように構成される。
【００１５】
図２はカメラ機能付き携帯電話を示す図、図３は撮影モードの表示を示す図である。この実施の形態のカメラ機能付き携帯電話１は、操作部１ａ、表示部１ｂ１，１ｂ２、カメラ１ｃ、マイク部１ｄ、スピーカ部１ｅ及び通信部１ｆ等を有する。また、カメラ機能付き携帯電話１には、メモリカード１２がセットされ、カメラ１ｃによって撮影された画像データがメモリカード１２に記憶される。
【００１６】
操作部１ａには、電話番号、文字情報等を入力するテンキー１ａ１、撮影モード切替ボタン１ａ２、選択ボタン１ａ３、実行ボタン１ａ４が設けられている。撮影モード切替ボタン１ａ２の操作によって、図３（ａ）に示すように、表示部１ｂ１に撮影モードのメニュー１ｂ１１が表示される。メニュー１ｂ１１には、カメラモード切替１ｂ１１１、撮影画像一覧１ｂ１１２、スライド表示１ｂ１１３、撮影画像送信１ｂ１１４等が設けられ、選択ボタン１ａ３の操作でメニューの選択を行ない、実行ボタン１ａ４の操作で実行する。
【００１７】
撮影画像送信１ｂ１１４を選択して実行すると、メモリカード１２に記憶された撮影画像が画像データ加工サーバ３へ送信される。撮影画像送信１ｂ１１４を選択しない場合、カメラ機能付き携帯電話１で撮影した画像データはメモリカード１２に記憶されると共に、自動的に撮影画像が画像データ加工サーバ３へ送信される。
【００１８】
また、スライド表示１ｂ１１３を選択して実行すると、図３（ｂ）に示すように、ワイプ、ディゾルブ、フェードイン、フェードアウトが表示され、選択ボタン１ａ３の操作でいずれかのスライド表示の選択を行ない、実行ボタン１ａ４の操作で実行する。
【００１９】
図４は画像データ加工サーバの概略構成図である。この実施の形態の画像データ加工サーバ３は、ＣＰＵ３０、主記憶部３１、補助記憶部３２、画像データ受信部３３及び加工済画像データ送信部３４を有する。
【００２０】
ＣＰＵ３０は、主記憶部３１、補助記憶部３２、画像データ受信部３３及び加工済画像データ送信部３４の制御を行なう。補助記憶部３２には、システムの動作プログラムが記憶され、また、画像データに加工処理を施すために必要なデータが記憶されている。
【００２１】
画像データ受信部３３は、受信手段を構成し、カメラ機能付き携帯電話１で撮影されて送信される画像データを受信する。
【００２２】
ＣＰＵ３０と主記憶部３１とでシステムの動作プログラムが実行され、画像データ受信部３３により受信した画像データに加工処理が施され、画像データがスライド表示されるように加工される。
【００２３】
加工済画像データ送信部３４は、送信手段を構成し、この加工された加工済み画像データをカメラ機能付き携帯電話１からアクセス可能なように送信する。例えば、携帯電話等に対応付けられた各メ−ルアドレスに送信する。
【００２４】
カメラ機能付き携帯電話１では、画像データ加工サーバ３で加工された画像データを例えば、メールサーバ（図示しない）から受信し、図６に示すように、カメラ機能付き携帯電話１で撮影した撮影駒の画像データ１０が表示部１ｂ１にスライド表示される。
【００２５】
図５はカメラ機能付き携帯電話で撮影された画像データの加工システムの動作フローを示す図である。この実施の形態のカメラ機能付き携帯電話で撮影された画像データの加工システムでは、ステップｓ１において、画像データ加工サーバ３はカメラ機能付き携帯電話１で撮影された画像データを受信する。
【００２６】
画像データ加工サーバ３では、加工手段３０ａにより受信した画像データにスライド表示する加工処理を施す（ステップｓ２）。
【００２７】
そして、ステップｓ３において、画像データ加工サーバ３は加工された加工済み画像データを送信し、カメラ機能付き携帯電話１の表示部１ｂ１に画像データがスライド表示される。このように、カメラ機能付き携帯電話１での簡単な操作で、短時間に多数の撮影駒の画像を再生して視ることができる。
【００２８】
また、他の実施の形態のカメラ機能付き携帯電話で撮影された画像データの加工システムでは、画像データ加工サーバ３の加工手段３０ａにより画像データが音楽の演奏に伴って表示されるように画像データを加工する。
【００２９】
カメラ機能付き携帯電話１では、表示部１ｂ１に画像データが表示され、このときスピーカ部１ｅによって音楽の演奏が行なわれる。この実施の形態では、画像データが音楽の演奏に伴ってスライド表示され、簡単な操作で、短時間に多数の撮影駒を音楽の演奏に伴って視ることができるが、画像データの表示はスライド表示でなくてもよい。
【産業上の利用可能性】
【００３０】
この画像データの加工システムは、カメラ機能付き携帯電話で撮影された画像データをカメラ機能付き携帯電話に表示するシステムに適用できる。
【図面の簡単な説明】
【００３１】
【図１】カメラ機能付き携帯電話で撮影された画像データの加工システムの概略構成図である。
【図２】カメラ機能付き携帯電話を示す図である。
【図３】撮影モードの表示を示す図である。
【図４】画像データ加工サーバの概略構成図である。
【図５】カメラ機能付き携帯電話で撮影された画像データの加工システムの動作フローを示す図である。
【図６】撮影駒のスライド表示を示す図である。
【符号の説明】
【００３２】
１  カメラ機能付き携帯電話
２  ネットワーク
３  画像データ加工サーバ
【図１】
2005192108.tif 000003
【図２】
2005192108.tif 000004
【図３】
2005192108.tif 000005
【図４】
2005192108.tif 000006
【図５】
2005192108.tif 000007
【図６】
2005192108.tif 000008